(57)【要約】【課題】タイムスロットの前後で急激な電流変動が発生するのを回避でき、且つ、送信パワーが低く設定された場合には送信パワーに応じて消費電流の低減を図ることのできる無線送信機を提供する。【解決手段】無線信号を所定のタイムスロットＳａで送信するように構成された無線送信機である。そして、送信信号をアンテナに出力するゲイン可変型のファイナルアンプと、ファイナルアンプより前段に設けられ送信信号をファイナルアンプへ送るゲイン可変型のＡＧＣアンプと、ファイナルアンプとＡＧＣアンプのゲイン制御を行う制御手段とを備え、制御手段は、タイムスロットＳａの開始の際、先ず、ファイナルアンプのゲインを上昇させ、その後、ＡＧＣアンプのゲインを上昇させて、送信パワーを立ち上げるように構成する。【選択図】図２
2010093710.tif 000002
【特許請求の範囲】
【請求項１】
無線信号を所定のタイムスロットで送信するように構成された無線送信機において、
送信信号をアンテナに出力するゲイン可変型の第１アンプと、
この第１アンプより前段に設けられ送信信号を前記第１アンプへ送るゲイン可変型の第２アンプと、
前記第１アンプと前記第２アンプのゲイン制御を行う制御手段と、
を備え、
前記制御手段は、
前記タイムスロットの開始の際、先ず、前記第１アンプのゲインを上昇させ、その後、前記第２アンプのゲインを上昇させて、無線信号を送信させる構成であることを特徴とする無線送信機。
【請求項２】
前記制御手段は、
前記タイムスロットの始端側に設けられたガードタイムの直前の期間、或いは、この直前の期間に前記ガードタイムの始端側の一部期間を含めた期間に、前記第１アンプのゲインを非送信時のレベルから送信時のレベルまで上昇させ、
前記ガードタイムの期間中で前記第１アンプのゲインを送信時のレベルまで上昇させた後の期間に、前記第２アンプのゲインを非送信時のレベルから送信時のレベルまで上昇させる構成であることを特徴とする請求項１記載の無線送信機。
【請求項３】
前記制御手段は、
前記タイムスロットの終了の際、先ず、前記第２アンプのゲインを下降させ、その後、前記第１アンプのゲインを下降させて、無線信号の送信を停止させる構成であることを特徴とする請求項１記載の無線送信機。
【請求項４】
前記制御手段は、
前記タイムスロットの終端側のガードタイム中に、前記第２アンプのゲインを送信時のレベルから非送信時のレベルまで下降させ、
前記第２アンプのゲインを非送信時のレベルまで下降させた後の期間に、前記第１アンプのゲインを送信時のレベルから非送信時のレベルまで下降させる構成であることを特徴とする請求項３記載の無線送信機。
【請求項５】
前記制御手段は、
前記第２アンプのゲインを設定された傾斜パターンで変化させる構成であり、
この制御手段による前記第２アンプのゲイン制御によって、前記タイムスロットの始端或いは終端に設けられたガードタイムに無線信号の送信パワーが所定の傾斜パターンで立ち上げ或いは立ち下げられることを特徴とする請求項１記載の無線送信機。
【請求項６】
前記制御手段は、
前記第１アンプのゲインを予め設定された複数段階の何れかのゲインに切り換える構成であり、
この制御手段による前記第１アンプのゲイン制御によって無線信号の送信パワーが段階的に切り換え可能になっていることを特徴とする請求項１記載の無線送信機。
【請求項７】
前記アンテナに出力される送信信号のパワーを検出するパワー検出部を備え、
前記制御手段は、
前記パワー検出部の検出出力に基づいて該検出出力が所定の値になるように前記第２アンプの送信時のゲイン調整を行う構成であることを特徴とする請求項１記載の無線送信機。
【請求項８】
前記アンテナに出力される送信信号のパワーを検出するとともに検出感度が可変にされたパワー検出部と、
前記パワー検出部の検出信号と参照信号とがつり合うように前記第２アンプのゲインを自動的に調整する自動パワー制御部と、
を備え、
前記制御手段は、
前記第１アンプの送信時のゲインの変化に伴って当該ゲインの変化と逆行するように前記パワー検出部の検出感度を変化させるとともに、
前記オートパワー制御部の参照信号を変化させることで前記第２アンプのゲイン制御を行う構成であることを特徴とする請求項１記載の無線送信機。
【発明の詳細な説明】
【技術分野】
【０００１】
この発明は、無線信号を所定のタイムスロットに送信するように構成された無線送信機に関する。
【背景技術】
【０００２】
無線送信機においては、一般に、アンテナから無線信号を送信するのに複数段のアンプを備えるものがある。また、無線信号の送信パワーを制御することも一般に行われている。
【０００３】
例えば、特許文献１には、出力段の増幅器の送信パワーを検出しながら、その前段の増幅器のゲインを調整して無線信号の送信パワーを制御する技術が開示されている。また、特許文献２には、ＡＰＣ（オートパワー制御）回路によって出力段のファイナルアンプとその前段のドライブアンプの両方のゲインを同時に調整することで、無線信号の送信パワーを制御する技術が開示されている。
【特許文献１】特開２００４−１５３１９号公報
【特許文献２】特開２００４−４０４１８号公報
【発明の開示】
【発明が解決しようとする課題】
【０００４】
近年、無線信号を大出力で送信する例えば業務用無線機の分野において、ＴＤＭＡ（時分割多重アクセス）方式で通信を行う無線装置の開発が進められている。また、このような無線装置においては、基地局からのパワー制御要求等に従って、送信パワーを、例えば定格パワー、定格パワーから−３ｄＢ、９ｄＢ、１５ｄＢなど、複数段階に切り換え可能としたり、或いはもっと多段階に調整できたりするように要求されることがある。
【０００５】
また、ＴＤＭＡ方式の通信では、予め割り当てられたタイムスロットに無線信号を送信し、他のタイムスロットでは無線信号の送信を停止する必要がある。さらに、隣接するタイムスロットとの電波干渉を避けるために、各タイムスロットの前後に設けられた短いガードタイムの期間に、所定の傾斜パターンで、無線信号の送信パワーを立ち上げたり立ち下げたりしなければならないという制約もある。
【０００６】
上記のように、大出力の送信が可能で、且つ、送信パワーを切り換え可能とした無線装置においては、その出力段に大きなパワー出力が可能で且つゲイン可変幅の大きなアンプを設ける必要がある。しかしながら、ゲイン可変幅の大きな大出力アンプでは、例えば、内部に複数段のＦＥＴ（電界効果トランジスタ）増幅回路を有する構成となるため、図８の“四角”プロット線に示すように、ゲイン制御電圧（ゲートバイアス電圧）対出力送信パワーの特性はリニアにならない。
【０００７】
そのため、ガードタイム中に所定の傾斜パターンで送信パワーを立ち上げたり立ち下げたりする制御を、出力段の大出力アンプのゲイン制御によって実現するには、この所定の傾斜パターンを実現するゲイン制御電圧の波形を、様々な送信パワーのレベルに対応させて幾つも用意しておかなければならないという課題が生じる。
【０００８】
また、ゲイン可変型の大出力アンプでは、図８の“ダイヤ印”プロット線に示すように、そのゲインに応じて消費電流が大きく変化する。従って、出力段の大出力アンプのゲイン制御により送信パワーの立ち上げと立ち下げの制御を行った場合、短い期間（例えば１ｍｓ）に大きな電流変動（例えば０Ａ−９Ａなど）が生じることとなる。そして、この急激な電流変動により、例えば、搬送波を生成するＶＣＯ（電圧制御発振器）などの動作に摂動が生じるなどして、送信信号の変調精度が悪化するという課題を生じる。
【０００９】
一方、特許文献１に示すように、出力段の大出力アンプのゲインを一定とし、ドライブ段など前段のアンプのゲイン制御を行うことで、ガードタイムにおける送信パワーの立ち上げと立ち下げ、並びに、パワー制御要求等に基づく送信パワーの段階的な切り換えを行う構成を適用することも可能である。
【００１０】
しかしながら、このような構成では、出力段のアンプが常に大きなゲインのままとなって大電流を流し続けるため、例えばパワー制御要求等により低い送信パワーで動作する場合でも、無線装置全体の消費電流を低くすることができないという課題が生じる。例えば、図９には、出力段のアンプのゲインを３５ｄＢ固定とした構成において、出力段のアンプの入力パワーＰｉｎ対出力パワーＰｏｕｔ、ならびに、入力パワーＰｉｎ対アンプの消費電流Ｉｄｄを表わした特性図を示すが、出力段のアンプを常に大きなゲインとしたままでは、図９の“四角”プロット線に示すように、送信パワーが３０ｄＢ以下の領域ではアンプの消費電流は下げ止まりとなるため、送信パワーが低く設定されたときでも消費電流の低減を図ることができない。
【００１１】
また、前段のドライブアンプのみでゲイン制御を行う構成では、送信パワーのダイナミックレンジは、ドライブアンプ自体のダイナミックレンジにより決定されてしまう。そのため、例えば、送信パワーが最大のときには、ドライブアンプのダイナミックレンジを最大幅に使って、所定の傾斜パターンで送信パワーの立ち上げや立ち下げを行うことができても、パワー制御要求等により送信パワーが低く設定されたときには、ドライブアンプのダイナミックレンジの一部の範囲しか使うことができないことから、例えば、送信パワーのレベルが頭打ちとなって所定の傾斜パターンで送信パワーの立ち上げや立ち下げを行うことが困難になる場合が生じる。
【００１２】
また、特許文献２に示すように、出力段のファイナルアンプとドライブ段のアンプとの両方のゲインを同時に制御して送信パワーを変化させる構成を適用することも可能である。しかしながら、このような構成においても、短いガードタイムの期間中に、大出力のファイナルアンプのゲインを立ち上げたり立ち下げたりする必要があるため、タイムスロットの前後で急激な電流変動が生じることとなって、それにより送信信号の変調精度が悪化するといった課題が生じる。
【００１３】
また、ゲイン制御電圧対出力送信パワーの特性がリニアにならないことから、ガードタイム中に所定の傾斜パターンで送信パワーの立ち上げや立ち下げを行うために、様々な送信パワーのレベルに対応させて、ゲイン制御電圧の波形を幾つも用意しなければならないという課題が生じる。
【００１４】
この発明の目的は、所定のタイムスロットで無線信号の送信を行う無線送信機において、送信パワーの立ち上げや立ち下げ時に急激な電流変動が発生するのを回避でき、且つ、送信パワーが低く設定された場合には送信パワーに応じて消費電流の低減を図ることのできる無線送信機を提供することにある。
【課題を解決するための手段】
【００１５】
上記目的を達成するため、請求項１記載の発明は、
無線信号を所定のタイムスロットで送信するように構成された無線送信機において、
送信信号をアンテナに出力するゲイン可変型の第１アンプと、
この第１アンプより前段に設けられ送信信号を前記第１アンプへ送るゲイン可変型の第２アンプと、
前記第１アンプと前記第２アンプのゲイン制御を行う制御手段と、
を備え、
前記制御手段は、
前記タイムスロットの開始の際、先ず、前記第１アンプのゲインを上昇させ、その後、前記第２アンプのゲインを上昇させて、無線信号を送信させる構成であることを特徴としている。
【００１６】
請求項２記載の発明は、請求項１記載の無線送信機において、
前記制御手段は、
前記タイムスロットの始端側に設けられたガードタイムの直前の期間、或いは、この直前の期間に前記ガードタイムの始端側の一部期間を含めた期間に、前記第１アンプのゲインを非送信時のレベルから送信時のレベルまで上昇させ、
前記ガードタイムの期間中で前記第１アンプのゲインを送信時のレベルまで上昇させた後の期間に、前記第２アンプのゲインを非送信時のレベルから送信時のレベルまで上昇させる構成であることを特徴としている。
【００１７】
請求項３記載の発明は、請求項１記載の無線送信機において、
前記制御手段は、
前記タイムスロットの終了の際、先ず、前記第２アンプのゲインを下降させ、その後、前記第１アンプのゲインを下降させて、無線信号の送信を停止させる構成であることを特徴としている。
【００１８】
請求項４記載の発明は、請求項３記載の無線送信機において、
前記制御手段は、
前記タイムスロットの終端側のガードタイム中に、前記第２アンプのゲインを送信時のレベルから非送信時のレベルまで下降させ、
前記第２アンプのゲインを非送信時のレベルまで下降させた後の期間に、前記第１アンプのゲインを送信時のレベルから非送信時のレベルまで下降させる構成であることを特徴としている。
【００１９】
請求項５記載の発明は、請求項１記載の無線送信機において、
前記制御手段は、
前記第２アンプのゲインを設定された傾斜パターンで変化させる構成であり、
この制御手段による前記第２アンプのゲイン制御によって、前記タイムスロットの始端或いは終端に設けられたガードタイムに無線送信パワーが所定の傾斜パターンで立ち上げ或いは立ち下げられることを特徴としている。
【００２０】
請求項６記載の発明は、請求項１記載の無線送信機において、
前記制御手段は、
前記第１アンプのゲインを予め設定された複数段階の何れかのゲインに切り換える構成であり、
この制御手段による前記第１アンプのゲイン制御によって無線送信パワーが段階的に切り換え可能になっていることを特徴としている。
【００２１】
請求項７記載の発明は、請求項１記載の無線送信機において、
前記アンテナに出力される送信信号のパワーを検出するパワー検出部を備え、
前記制御手段は、
前記パワー検出部の検出出力に基づいて該検出出力が所定の値になるように前記第２アンプの送信時のゲイン調整を行う構成であることを特徴としている。
【００２２】
請求項８記載の発明は、請求項１記載の無線送信機において、
前記アンテナに出力される送信信号のパワーを検出するとともに検出感度が可変にされたパワー検出部と、
前記パワー検出部の検出信号と参照信号とがつり合うように前記第２アンプのゲインを自動的に調整する自動パワー制御部と、
を備え、
前記制御手段は、
前記第１アンプの送信時のゲインの変化に伴って当該ゲインの変化と逆行するように前記パワー検出部の検出感度を変化させるとともに、
前記オートパワー制御部の参照信号を変化させることで前記第２アンプのゲイン制御を行う構成であることを特徴としている。
【発明の効果】
【００２３】
本発明に従うと、例えば大出力の無線送信が可能な無線送信機であっても、送信パワーが低く設定された場合には送信パワーに応じて消費電流の低減が図れるとともに、タイムスロット始端や終端で送信パワーを立ち上げたり立ち下げたりする際に急激な電流変動が発生するのを回避できるという効果がある。
【発明を実施するための最良の形態】
【００２４】
以下、本発明の実施の形態を図面に基づいて説明する。
【００２５】
［第１実施形態］
図１は、本発明の第１実施形態の無線装置の送信処理に関わる構成を示したブロック図である。
【００２６】
第１実施形態の無線装置１は、ＴＤＭＡ（時分割多重アクセス）方式で通信を行うとともに、例えば業務用無線機の分野で使用される大出力（例えば２０〜４０ｄＢｍ）の無線送信を可能とするものである。また、この無線装置１は、例えば、通信規格Ｐ２５＿Ｐｈａｓｅ２に準拠した通信動作を行うように構成されたものである。
【００２７】
通信規格Ｐ２５＿Ｐｈａｓｅ２は、１つの周波数チャンネルに２つのタイムスロットを設定してＴＤＭＡ方式で通信を行う規格であり、１つのタイムスロットが例えば３０ｍｓに設定され、各タイムスロットの始端側の短い期間（例えば１ｍｓ）に、隣接するタイムスロットとの干渉を避けるためのガードタイムが設定されている。また、ＡＣＰＲ（隣接チャンネル漏洩電力比）が悪化しないように、ガードタイム中における送信パワーの立ち上げ或いは立ち下げの傾斜パターンについても所定の範囲に収まるように規定されている。さらに、無線基地局からのパワー制御要求に基づいて、送信パワーを複数段階（例えば定格パワーＰｃ、Ｐｃ−３ｄＢ、９ｄＢ、１５ｄＢ）に切り換え可能としたり、或いは、もっと多段に送信パワーを切り換え可能としたり要求されることもある。
【００２８】
この無線装置１は、図１に示すように、特定周波数の搬送波を生成するための発振器（例えば、ＴＣＸＯ：温度補償型水晶発振器）１１、ＰＬＬ（Phase Locked Loop）回路１２およびＶＣＯ（電圧制御発振器）１３と、発振器１１やＶＣＯ１３に対して情報信号により変調作用を及ぼす変調回路１４と、搬送波が変調されてなる送信信号を増幅してアンテナＡＮへ出力する複数段構成のアンプ１５，１６，１７と、アンテナＡＮの接続を送信側と受信側とに切り換えるスイッチ１８と、通信周波数帯から外れた信号を除去するアンテナフィルタ１９と、送受信動作の全体的な制御を行う制御手段としてのＣＰＵ（中央演算処理装置）２０と、ＣＰＵ２０からのゲイン制御信号をアナログ電圧に変換するＤ／Ａコンバータ２１と、例えばアンテナフィルタ１９の出力を導いて送信信号のパワーを検出するパワー検出部２３と、パワー検出部２３からの検出信号をデジタル値に変換してＣＰＵ２０に送るＡ／Ｄコンバータ２２と、制御プログラムや各種の設定データを格納する不揮発性メモリ２４と、無線送信する音声信号を入力するマイクロフォン２５およびＡ／Ｄコンバータ２６等を備えている。なお、受信に関わる構成については図示および説明を省略する。
【００２９】
送信信号を増幅する複数段の増幅回路１５〜１７は、送信パワーの自動的な利得制御が行われる第２アンプとしてのＡＧＣ（自動利得制御）アンプ１５と、２段目に縦続接続されたバッファアンプ１６と、３段目に縦続接続されアンテナＡＮへ送信信号を出力する第１アンプとしてのファイナルアンプ１７とから構成される。
【００３０】
ＡＧＣアンプ１５は、ゲイン可変型のアンプであり、ＣＰＵ２０からＤ／Ａコンバータ２１を介して入力されるパワー制御信号やランプ制御信号（例えば内部のＦＥＴ増幅回路に供給されるゲートバイアス電圧など）によって、その利得が制御される。ランプ制御信号は、タイムスロットの開始や終了の際に送信パワーを所定の傾斜（ramp）パターンで立ち上げたり立ち下げたりするための制御信号、パワー制御信号は、無線信号の送信バースト期間中における送信パワーの制御信号である。これらはともに１本の制御線を介して出力されるゲイン制御電圧である。
【００３１】
ＡＧＣアンプ１５は、その出力は通常の大きさのものでよく、そのため、ゲイン制御電圧対利得の特性はリニアな特性とすることができる。また、その消費電流はファイナルアンプ１７の消費電流と比較して無視できる程度のものである。
【００３２】
ファイナルアンプ１７は、ゲイン可変型の大出力アンプであり、ＣＰＵ２０からＤ／Ａコンバータ２１を介して入力されるゲイン制御信号によって、その利得が制御される。ファイナルアンプ１７は、大きな送信パワーを実現するため、例えば５０ｄＢｍ近くまでの出力が可能なものである。
【００３３】
ファイナルアンプ１７は、上記のような大出力特性を有しているため、ゲイン制御電圧対利得の特性は、リニアな特性とすることは難しく、非線形の特性となっている。また、ファイナルアンプ１７は、大きな消費電流を流して、大出力の特性を得る構成であるため、ゲインを低下させたときには、消費電流は小さくなるが、ゲインを上昇させたときには、入出力がなくても大きな消費電流が生じるという性質を有している。
【００３４】
不揮発性メモリ２４には、ファイナルアンプ１７のゲイン制御信号の値として複数段階の送信パワーにそれぞれ対応する複数の設定値と、ガードタイム中に送信パワーを所定の傾斜パターンで立ち上げおよび立ち下げるためにＡＧＣアンプ１５に出力するランプ制御信号の波形データと、無線基地局からの細かいパワー制御要求があった場合にＡＧＣアンプ１５の利得制御により対応させるためにＡＧＣアンプ１５のパワー制御の設定値を算出する演算プログラムなどが含まれている。
【００３５】
次に、この実施形態の無線装置１の動作について説明する。無線装置１は、無線信号を送信する送信動作期間と、無線信号を受信する受信動作期間とをスイッチ１８により切り換える。ここでは受信動作についての説明は省略し、送信動作についてのみ説明する。
【００３６】
［送信動作の概要］
無線信号の送信動作期間においては、発振器１１、ＰＬＬ回路１２およびＶＣＯ１３が動作して常に特定周波数の搬送波が生成されている。また、ＣＰＵ２０は、予め自己に割り当てられたタイムスロットの期間ごとにファイナルアンプ１７とＡＧＣアンプ１５のゲインを送信時のレベルまで上げることで、送信信号をアンテナＡＮに出力して無線信号を送信させる。一方、自己に割り当てられていないタイムスロットの期間にはファイナルアンプ１７とＡＧＣアンプ１５のゲインを非送信時のレベルまで下げることで、アンテナＡＮから送信される無線信号をほぼ停止させる。
【００３７】
音声信号を無線送信する場合、ＣＰＵ２０は、マイクロフォン２５から入力した音声信号をＡ／Ｄコンバータ２６を介してサンプリングすることで音声データとして取り込み、そして、自己に割り当てられたタイムスロット期間に、この音声データを変調回路１４に送る。すると、変調回路１４により搬送波が変調されて変調後の送信信号がＡＧＣアンプ１５に送られる。このとき、ＡＧＣアンプ１５とファイナルアンプ１７のゲインは送信時のレベルになっているので、この送信信号がアンテナＡＮから無線送信されることとなる。音声信号以外の様々なデータ送信を行う場合も、同様に、自己に割り当てられたタイムスロット期間に変調回路１４に送信データが送られることで、この送信データにより変調された送信信号がＡＧＣアンプ１５とファイナルアンプ１７により増幅されて無線送信されることとなる。
【００３８】
［タイムスロットの開始時の制御動作］
図２には、無線装置１の送信時における制御内容を説明するタイムチャートを示す。同図（ａ）はタイムスロット、（ｂ）はファイナルアンプ１７のゲイン制御信号、（ｃ）はＡＧＣアンプ１５のゲイン制御信号、（ｄ）はファイナルアンプ１７の出力パワーＰｏ、（ｅ）はファイナルアンプ１７の消費電流Ｉｄｄ、それぞれの時間変化を示している。同図においてゲイン制御信号をより具体的にゲイン制御電圧と記している。
【００３９】
図２（ａ）に示すように、無線装置１には３０ｍｓごとに３０ｍｓのタイムスロットＳａが割り当てられる。また、各タイムスロットＳａ，Ｓｂの始端には、隣接するタイムスロットとの干渉を避けるために１ｍｓのガードタイムＧｓ，Ｇｅが設けられている。無線装置１は自己に割り当てられたタイムスロットＳａの始端側のガードタイムＧｓで送信パワーを非送信時のレベルから送信時のレベルまで立ち上げ、終端側のガードタイムＧｅ（＝次のタイムスロットＳｂの始端側のガードタイムＧｅ）で送信パワーを送信時のレベルから非送信時のレベルまで立ち下げるよう規定されている。また、この送信パワーの立ち上げと立ち下げ時には、傾斜パターンが所定範囲に収まるように規定されている。
【００４０】
図２（ｂ）に示すように、送信パワーの立ち上げ時において、ＣＰＵ２０は、先ず、始端側のガードタイムＧｓの直前の期間に、ファイナルアンプ１７のゲインを非送信時のレベルから送信時のレベルまで上昇させる。
【００４１】
このとき、ファイナルアンプ１７への入力信号のレベルはほぼゼロであるので、図２（ｄ）に示すように、ファイナルアンプ１７の出力パワーＰｏはほぼゼロのままである。また、ファイナルアンプ１７は、大出力のアンプであり、出力パワーＰｏがゼロであっても、ゲインを上げることに伴って比較的大きな消費電流が生じるので、図２（ｅ）に示すように、消費電流Ｉｄｄが増加する。例えば、消費電流Ｉｄｄは信号の入出力があるときの８割前後まで増加する。
【００４２】
上記のようにファイナルアンプ１７のゲインを上昇させたら、次に、ＣＰＵは、ガードタイムＧｓの期間中に、ＡＧＣアンプ１５のゲインを所定の傾斜パターンで非送信時のレベルから送信時のレベルまで上昇させる。
【００４３】
これにより、ＡＧＣアンプ１５から送信信号が出力されるとともに、その出力レベルが所定の傾斜パターンで立ち上がる。また、このとき、ファイナルアンプ１７のゲインは送信時の設定レベルにあるので、ＡＧＣアンプ１５から出力された送信信号はアンプ１６を介してファイナルアンプ１７で一律に増幅されてアンテナＡＮへ出力される。従って、図２（ｄ）に示すように、ファイナルアンプ１７の出力パワーＰｏはガードタイムＧｓの期間中に所定の傾斜パターンで立ち上がって、非送信時のレベルから送信時のレベルまで上昇する。
【００４４】
また、ファイナルアンプ１７の出力パワーＰｏが上昇することで、ファイナルアンプ１７の消費電流ＩｄｄもガードタイムＧｓの期間中に僅かに上昇する。
【００４５】
このようなＡＧＣアンプ１５とファイナルアンプ１７のゲイン制御によって、送信バースト期間（ガードタイム後の送信期間）の直前に急激な電流変動が生じることが回避され、それにより、急激な電流変動に起因して送信バースト期間に変調精度等が悪化するといった不都合を回避することができる。
【００４６】
図１０には、比較のために、ファイナルアンプ１７のゲイン制御によって送信パワーの立ち上げや立ち下げを行った場合のタイムチャートを示す。
【００４７】
図１０に示すように、ガードタイムＧｓ中にファイナルアンプ１７のゲインを上昇させて送信パワーを立ち上げた場合、この短いガードタイムＧｓの期間中に大出力のファイナルアンプ１７で大きな消費電流Ｉｄｄの変動が生じる。従って、この急激な電流変動により、ガードタイムＧｓ直後の送信バースト期間等において、他の回路に影響が生じて例えば変調精度が悪化するなどの不具合が生じる。このような不具合は、ＡＧＣアンプ１５のゲインを一定にしてファイナルアンプ１７のみゲイン制御して送信パワーを立ち上げた場合だけでなく、ファイナルアンプ１７とＡＧＣアンプ１５とを同時にゲイン制御して送信パワーを立ち上げた場合でも、同様に生じる。
【００４８】
図２に示した、本実施形態のＡＧＣアンプ１５とファイナルアンプ１７のゲイン制御処理によれば、上記の不具合を回避することができる。  
【００４９】
［タイムスロットの終了時の制御動作］
図２に示すように、自己に割り当てられたタイムスロットＳａの終了の際には、先ず、ＣＰＵ２０は、その終端側のガードタイムＧｅの期間中にＡＧＣアンプ１５のゲインを所定の傾斜パターンで送信時のレベルから非送信時のレベルまで下降させる。
【００５０】
これにより、ＡＧＣアンプ１５の出力パワーが所定の傾斜パターンで下降する。そして、この出力がファイナルアンプ１７で一律に増幅されることで、ファイナルアンプ１７の出力パワーＰｏも上記所定の傾斜パターンで下降する。このとき、ファイナルアンプ１７のゲインは変化しないが、出力パワーＰｏが低下することで、ファイナルアンプ１７の消費電流Ｉｄｄは僅かに減少する。例えば図２の例では、消費電流Ｉｄｄが２割前後減少している。
【００５１】
その後、ＣＰＵ２０は、ガードタイムＧｅの直後に、ファイナルアンプ１７のゲインを送信時のレベルから非送信時のレベルまで下降させる。このとき、既に、出力パワーＰｏはほぼゼロになっているので出力パワーＰｏの変化はほぼ生じないが、大出力のファイナルアンプ１７のゲインが下げられることで、この期間に消費電流Ｉｄｄが大きく低下する。
【００５２】
図１０の比較例に示すように、ガードタイムＧｅの期間中にファイナルアンプ１７のゲインを下降させて送信パワーを立ち下げた場合には、ガードタイムＧｅの期間中に急激な電流変動が生じてしまい、この急激な電流変動により他の回路に悪影響を及ぼしてしまうことが考えられる。一方、図２に示した本実施形態のゲイン制御処理では、送信パワー立ち下げ時の消費電流Ｉｄｄの変動期間を長くとることができるため、急激な電流変動による他の回路への影響が低減される。
【００５３】
［複数段階のパワー制御要求に対する制御動作］
次に、無線基地局から予め定められている複数段階のパワー制御要求があった場合の制御動作について説明する。
【００５４】
無線基地局から複数段階のパワー制御要求がなされた場合、ＣＰＵ２０は、ＡＧＣアンプ１５のゲイン制御の処理動作は変更せずに、ファイナルアンプ１７のゲイン設定値を複数段階に切り換えることによって対応する。
【００５５】
具体的には、図２（ｂ）に示すように、ファイナルアンプのゲイン制御信号（電圧）のハイレベル値Ｖ１を、不揮発性メモリ２４に格納されている複数種類の設定値のうち、パワー制御要求に対応するものに切り換える。例えば、定格パワーＰｃ、Ｐｃ−３ｄＢ、９ｄＢ、１５ｄＢなど、４段階のパワー制御要求がある場合、これらの各送信パワーに対応する複数種類のゲイン設定値を不揮発性メモリ２４に格納しておき、これらのうちパワー制御要求の対応する設定値を読み出して、ファイナルアンプ１７のゲインを制御する。
【００５６】
なお、複数段階のパワー制御要求に対応したファイナルアンプ１７のゲイン設定値は、例えば工場出荷前の調整工程の際などに、不揮発性メモリ２４に書き込んでおくことができる。調整工程においては、例えば、ＡＧＣアンプ１５のゲインを通常仕様範囲の最大値とした状態で、アンテナＡＮから送信される無線信号の送信パワーを測定しながら、ファイナルアンプ１７のゲインを変化させる。そして、上記各段階のパワー制御要求に応じた送信パワーが得られたときのゲイン制御信号の値を求め、この値をゲイン設定値として不揮発性メモリ２４に書き込んでおくことで、上記構成を実現することができる。
【００５７】
図３には、二種類の送信パワー設定時におけるファイナルアンプ１７の出力パワーＰｏと消費電流Ｉｄｄの特性を表わしたグラフを示す。同図において、“ダイヤ印”プロット線は、最大送信パワー設定時におけるファイナルアンプ１７の入力パワーＰｉｎ対出力パワーＰｏの関係を示すもの、“四角”プロット線は送信パワー−１０ｄＢ設定時におけるファイナルアンプ１７の入力パワーＰｉｎ対出力パワーＰｏの関係を示すもの、“三角”プロット線は最大送信パワー設定時におけるファイナルアンプ１７の入力パワーＰｉｎ対消費電流Ｉｄｄの関係を示すもの、“×”プロット線は送信パワー−１０ｄＢ設定時におけるファイナルアンプ１７の入力パワーＰｉｎ対消費電流Ｉｄｄの関係を示すものである。
【００５８】
図３の“三角”プロット線と“×”プロット線との比較から分かるように、ファイナルアンプ１７のゲインを低くすると、ファイナルアンプ１７の消費電流Ｉｄｄは大きく減少する。一方、ファイナルアンプ１７のゲインを一定としたまま入力パワーＰｉｎを低くした場合には、入力パワーＰｉｎが最大レベルの近傍では消費電流Ｉｄｄも減少するが、入力パワーＰｉｎが最大レベル近傍より低い範囲では消費電流Ｉｄｄは飽和してほとんど減少しない。
【００５９】
従って、パワー制御要求により低い送信パワーで送信動作を行った場合に、この実施形態のゲイン制御のようにファイナルアンプ１７のゲインを低くして対応することで、送信期間中の消費電力が送信パワーに応じて低減されるようになっている。例えば、パワー制御要求が最大パワー（例えば４５ｄＢ）のときに、“ダイヤ印”プロット線や“三角”プロット線に示す特性で送信動作した場合、送信バースト期間中の消費電流は８．６Ａとなる。そして、パワー制御要求により送信パワーが、例えば３５ｄＢなどに一段下げられたときには、“四角”プロット線や“×”プロット線に示す特性で送信動作させることで、送信バースト期間中の消費電流は３．０Ａまで低減する。
【００６０】
一方、パワー制御要求により低い送信パワーで動作させる場合に、この実施形態の方式とは別に、ファイナルアンプ１７を最大ゲインとしたまま、ＡＧＣアンプ１５のゲインを低下させて対応させた場合、図３の“三角”プロット線に示すように、ファイナルアンプ１７の消費電流Ｉｄｄは入力パワーＰｉｎを低下させても途中で飽和してしまうため、消費電流は５．０Ａ弱にしか低下しない。従って、これと比較して、本実施形態のゲイン制御の方が、送信パワーが低いときにその送信パワーに応じて消費電力が大きく低減されるのが分かる。
【００６１】
［ランプ制御動作］
次に、タイムスロットの前後に送信パワーを所定の傾斜パターンで立ち上げおよび立ち下げる際のランプ制御の動作について説明する。
【００６２】
図４には、二種類の送信パワー設定（最大定格“Ｐｃ”と“Ｐｃ−１５ｄＢ”）のときの送信パワーの立ち上がり波形とランプ規格を表わした波形図を示す。図５には、同設定時の送信パワーの立下り波形とランプ規格を表わした波形図を示す。
【００６３】
本実施形態の通信規格においては、ＡＣＰＲ（隣接チャンネル漏洩電力比）が悪化しないように、ガードタイム中における送信パワーの立ち上がりや立ち下りの波形が規定されている。例えば、図４や図５の点線や実線に示すように、１ｍｓのガードタイム中にこの点線や実線より出力パワーが低くなければならないというように規定されている。また、送信パワーが複数段階に切り換えられる場合、送信パワーが大きいときには立ち上がり波形や立下り波形のレベルも全体的に高く、送信パワーが小さいときには立ち上がり波形や立下り波形のレベルも全体的に低くなるように規定されている。
【００６４】
この実施形態のランプ制御処理においては、図２のタイムチャートにも示したように、ガードタイム中にファイナルアンプ１７のゲインは送信時のレベルとしたまま、ＡＧＣアンプ１５のゲインを所定の傾斜パターンで立ち上げおよび立ち下げることで実現している。
【００６５】
具体的には、図４や図５の立ち上がり波形や立下り波形に示すように、ガードタイム中にＡＧＣアンプ１５のランプ制御信号をレイズドコサイン（Raised Cosine）波形で立ち上げ並びに立ち下げるようにすることで、送信パワーが同波形で立ち上げ並びに立ち下げられるように構成している。
【００６６】
また、上述したように、この実施形態のゲイン制御では、パワー制御要求に応じて送信パワーが段階的に切り換えられる場合があるが、この段階的な送信パワーの切り換えはファイナルアンプ１７のゲインを複数段階に切り換えることで対応している。このとき、ＡＧＣアンプ１５のゲインは通常仕様範囲の最大ゲインのときに、パワー制御要求に応じた送信パワーが得られるように、ファイナルアンプ１７の複数段階のゲインが設定されている。
【００６７】
そのため、パワー制御要求に応じて送信パワーが切り換えられた場合でも、この実施形態のランプ制御処理では、ＡＧＣアンプ１５に同一レベルで且つ同一の傾斜パターンのランプ制御信号が出力されることで、各段階の送信パワーに応じた出力パワーＰｏの立ち上げならびに立ち下げが実現されるようになっている。さらに、ＡＧＣアンプ１５をランプ制御する際には、どの段階の送信パワーに設定されていても、ＡＧＣアンプ１５のダイナミックレンジを最大幅で使用して送信パワーの立ち上げ並びに立ち下げを行うことができるようになっている。
【００６８】
例えば、図４，図５に示すように、定格パワー“Ｐｃ”時を基準としたときに、ＡＧＣアンプ１５のダイナミックレンジを最大幅に使用して、定格パワー“Ｐｃ”時のランプ規格（図４，図５の点線）を満たす出力パワーの立ち上がり（図４の“四角”プロット線）と立下り（図５の“四角”プロット線）が実現されるよう、ＡＧＣアンプ１５を構成したとする。この構成で、送信パワーが“Ｐｃ−１５ｄＢ”に下げられたとする。このとき、ファイナルアンプ１７のゲインは同量（１５ｄＢ）だけ下げられるので、ＡＧＣアンプ１５に基準時と同一波形のランプ制御信号を出力することで、ＡＧＣアンプ１５のダイナミックレンジを最大幅に使用して、“Ｐｃ−１５ｄＢ”時の出力パワーの立ち上がりと立下り（図４，図５の“ダイヤ印”プロット線）を得ることができる。
【００６９】
図１１と図１２には、比較のために、ＡＧＣアンプ１５のみで送信パワーの切換制御とランプ制御とを行った場合の波形図を示す。
【００７０】
図１１，図１２に示すように、ＡＧＣアンプ１５のゲイン制御によって送信パワーの切換制御も行う構成とした場合、例えば、定格パワー“Ｐｃ”時にはランプ規格を満たすランプ制御が可能であっても、パワー制御要求に応じて送信パワーが切り換わった場合に、ランプ制御のためにＡＧＣアンプ１５のダイナミックレンジを最大幅で使用することができなくなる。そのため、図１１，図１２の“ダイヤ印”プロット線に示すように、送信パワーが“Ｐｃ−１５ｄＢ”に下げられた場合には、ランプ制御に使用できるＡＧＣアンプ１５のダイナミックレンジは２５ｄＢ分となり、出力パワーを−４０ｄＢより低くできなくなるなど、“Ｐｃ−１５ｄＢ”時のランプ規格を満たすことができなくなる。
【００７１】
本実施形態のランプ制御によれば、このような不都合は回避され、複数段階の送信パワーに切り換えられた場合でも、リニア特性を有するＡＧＣアンプ１５のダイナミックレンジを最大幅に使用して、各送信パワーに対応したランプ規格を満たすように、送信パワーの立ち上げと立ち下げ制御を行うことができる。
【００７２】
［多段階のパワー制御要求に対する制御動作］
通信規格によっては、予め定められた複数段階のパワー制御要求だけでなく、これら各段階の中間の送信パワーを実現するよう、パワー制御要求がなされる場合もありえる。このような場合、ファイナルアンプ１７のゲイン制御信号対利得の特性は非線形特性になっているため、ファイナルアンプ１７のゲイン制御によって即座に対応するのはやや困難である。
【００７３】
本実施形態のゲイン制御では、このような場合を想定して、予め定められた複数段階の送信パワーの中間にパワー制御要求がなされた場合、ファイナルアンプ１７の複数段階のゲイン制御に、ＡＧＣアンプ１５のリニア制御を併合させることで、このパワー制御要求に応えるように構成されている。
【００７４】
ここで、ＡＧＣアンプ１５のリニア制御とは、この中間のパワー制御要求を満たすためにＡＧＣアンプ１５に必要とされる利得の低減を、ＣＰＵ２０がパワー制御信号の値をこの利得低減量の割合分だけ低く設定しなおすことにより、実現するものである。ＡＧＣアンプ１５のパワー制御信号対利得の特性はリニア特性であるので、必要な利得低減量の割合がわかれば、最大ゲインを得るパワー制御信号の値にこの割合を乗算することで、必要な利得低減が得られるパワー制御信号の値を算出することができる。ＣＰＵ２０は、無線基地局から送られてきたパワー制御要求の値と、予め設定されている複数段階の送信パワーのうち大きい方で一番近い送信パワーの値とから、パワー制御要求に応じるＡＧＣアンプ１５のパワー制御信号の値を算出することができる。
【００７５】
そして、ファイナルアンプ１７に対しては、予め設定された複数段階の送信パワーのうち、パワー制御要求の値に一番近い大きい方の送信パワーに対応したゲイン制御信号を出力する一方、ＡＧＣアンプ１５に対しては、上記演算により求められたパワー制御信号の値に対応させたランプ制御信号やパワー制御信号を出力することで、両者のゲイン制御が併合されて、上記複数段階の中間にあるパワー制御要求に応じた送信パワーを実現することが可能になっている。
【００７６】
また、上記のように多段階のパワー制御要求に対応する場合には、パワー検出部２３の検出信号をＣＰＵ２０が読み込むことで、実際の送信パワーがパワー制御要求の値からずれていないかソフトウェア的な比較処理が行われる。そして、実際の送信パワーにずれがある場合には、ＣＰＵ２０がこのずれがなくなるようにＡＧＣアンプ１５のリニア制御により補正処理を行って、例えば、次のスロットからパワー制御要求に正確に対応した送信パワーを出力することが可能になっている。
【００７７】
以上のように、この実施形態の無線装置１によれば、ＴＤＭＡ方式の無線送信を、業務用無線で用いられるような大出力の送信パワーにより行う場合でも、自己に割り当てられたタイムスロットの直前直後に急激な電流変動が生じてしまうのを回避でき、それにより、他の回路の動作が乱されて例えば変調精度が悪化してしまうといった不都合を防ぐことができる。
【００７８】
また、パワー制御要求等により送信パワーを複数段階に切り換える場合には、大出力のファイナルアンプ１７のゲイン制御によって送信パワーが複数段階に切り換えられる構成なので、送信パワーが低く設定されているときには送信パワーに応じて無線装置１全体の消費電流を低減することが可能になっている。
【００７９】
また、予め定められている複数段階の送信パワーの切換はファイナルアンプ１７のゲイン制御により行い、ガードタイムＧｓ，Ｇｅにおける送信パワーの立ち上げおよび立ち下げはＡＧＣアンプ１５のランプ制御により行う構成なので、ＡＧＣアンプ１５のダイナミックレンジを最大幅で使用して所定の傾斜パターンで送信パワーの立ち上げおよび立ち下げを実現できるといった効果や、送信パワーの段階的な切換えに関係なく、同一レベルで且つ同一波形のランプ制御信号により、通信規格を満たす送信パワー立ち上げおよび立ち下げを実現できるという効果が得られる。
【００８０】
さらに、予め定められている複数段階の送信パワーの切り換えだけでなく、これら各段階の中間の送信パワーへパワー制御要求がある場合には、ＣＰＵ２０によるＡＧＣアンプ１５のリニア制御やパワー検出に基づくソフトウェア処理による自動的なパワー制御によって、多段のパワー制御要求にも正確に対応することができるという効果も得られる。
【００８１】
［第２実施形態］
図６には、本発明の第２実施形態の無線装置１Ａの送信処理に関わる構成を示したブロック図を、図７には、図６のＡＰＣ部２８とパワー検出部２３ａの詳細を表わした回路ブロック図を示す。
【００８２】
第２実施形態の無線装置１Ａは、パワー検出に基づくＡＧＣアンプ１５の自動パワー制御を、第１実施形態のようにＣＰＵ２０により行うのではなく、ＡＰＣ（自動パワー制御）部２８のハードウェア構成によって実現するものである。その他の構成は第１実施形態とほぼ同様であり、１実施形態と同様の構成については説明を省略する。第２実施形態の無線装置１Ａは、例えば、搬送波の振幅成分が変化しない変調方式を採用している場合など、送信信号のパワー検出を瞬時に行うことのできる構成に適用できるものである。
【００８３】
この実施形態の無線装置１Ａにおいては、パワー検出部２３ａからの検出信号はＡＰＣ部２８に入力され、また、ＡＧＣアンプ１５のゲイン制御信号（例えばＦＥＴ増幅回路のゲートバイアス電圧）はＡＰＣ部２８から出力されるように構成される。また、ＣＰＵ２０からは、Ｄ／Ａコンバータ２１を介してＡＰＣ部２８に参照信号が入力されるようになっている。この参照信号は、ＡＰＣ部２８内でパワー検出信号の増減を検出するためにパワー検出信号の比較基準として参照される信号である。
【００８４】
また、この実施形態の無線装置１Ａにおいては、上記の参照信号のレベルがＣＰＵ２０の制御によって昇降されることで、ＡＰＣ部２８からＡＧＣアンプ１５へ出力されるゲイン制御信号のレベルも昇降するようになっている。例えば、ガードタイム期間中にＣＰＵ２０から特定の傾斜パターンで変化する波形の参照信号がＡＰＣ部２８に出力されることで、ＡＧＣアンプ１５のゲインを所定の傾斜パターンで立ち上げおよび立ち下げるランプ制御信号がＡＰＣ部２８からＡＧＣアンプ１５へ出力される。また、送信バースト期間中にＣＰＵ２０によって参照信号のレベルが制御されることで、ＡＧＣアンプ１５の送信バースト期間中のゲインを決定するパワー制御信号がＡＰＣ部２８からＡＧＣアンプ１５へ出力されるようになっている。
【００８５】
ＡＰＣ部２８は、図７に示すように、Ｄ／Ａコンバータ２１からの参照信号を非反転入力端子に受け、且つ、パワー検出部２３ａからの検出信号を反転入力端子に受けるオペアンプＯＰ１と、オペアンプＯＰ１の非反転端子に接続されたバイアス抵抗Ｒ１、ブリーダ抵抗Ｒ２および入力抵抗Ｒ３と、オペアンプＯＰ１を反転増幅動作させるための負帰還抵抗Ｒ４および入力抵抗Ｒ５等から構成される。そして、このオペアンプＯＰ１の出力がＡＧＣアンプ１５のゲイン制御信号（例えばパワー制御信号やランプ制御信号）として出力されるように構成されている。
【００８６】
このような構成のＡＰＣ部２８によれば、オペアンプＯＰ１が、Ｄ／Ａコンバータ２１からの参照信号とパワー検出信号との差分をとることで、この参照信号とパワー制御信号とが所定比率でつり合うように、ＡＧＣアンプ１５のゲイン制御電圧が増減される。このような作用によって、Ｄ／Ａコンバータ２１からの参照信号が上昇すればパワー検出信号が所定比率で上昇するようにＡＧＣアンプ１５のゲインが増加され、Ｄ／Ａコンバータ２１からの参照信号が下降すればパワー検出信号が所定比率で下降するようにＡＧＣアンプ１５のゲインが低減されるように動作する。
【００８７】
上記のパワー検出部２３ａは、ファイナルアンプ１７のゲイン制御と連動して、当該ゲインと反比例して検出感度が変化するような構成となっている。検出感度を変化させる構成は、例えば、図７に示すように、パワー検出回路２３２の前段にアッテネータ２３１を設け、ファイナルアンプ１７のゲイン制御信号により、ファイナルアンプ１７のゲインが上昇したときに、それに比例してアッテネータ２３１の減衰率が上がるように設定することで実現可能とされる。
【００８８】
上記のような構成の第２実施形態の無線装置１Ａによれば、図２に示したのと同様に、ＣＰＵ２０からファイナルアンプ１７へゲイン制御信号の出力が行われるとともに、ＣＰＵ２０からＡＰＣ部２８へ出力される参照信号のレベルが昇降されることで、ＡＰＣ部２８からＡＧＣアンプ１５へ第１実施形態と同様のランプ制御信号やパワー制御信号が出力されてガードタイム期間中の送信パワーの立ち上げや立ち下げ、並びに、送信バースト期間中の送信パワーの制御が行われることとなる。
【００８９】
また、送信パワーの制御は、ハードウェアの帰還動作によって高速に行われるため、何らかの変動によって出力パワーが増減した場合でも、ＡＰＣ部２８の作用によって速やかにＡＧＣアンプ１５のゲインが調整されて、ＣＰＵ２０からの参照信号に応じた送信パワーが安定的に得られるようになっている。
【００９０】
また、ファイナルアンプ１７のゲインが段階的に切り換えられたときには、そのゲインの増減に反比例するようにパワー検出部２３ａの検出感度が変化するので、ファイナルアンプ１７の段階的なゲインの切り換えに関係なく、ＣＰＵ２０は同一レベルで且つ同一波形の参照信号を出力することで、ＡＧＣアンプ１５のゲイン制御を行うことが可能になっている。例えば、送信パワーの立ち上げと立ち下げ時には、同一レベルで且つ同一波形で変化する参照信号を出力することで、複数段階の送信パワーにおける各通信規格に従った送信パワーの立ち上がりと立ち下りを実現できる。また、ファイナルアンプ１７のゲインが段階的に切り換えられた場合でも、アッテネータ２３１の減衰率がゲインの変化を打ち消すように変化するので、パワー検出回路２３２のダイナミックレンジが狭まったり、Ｄ／Ａコンバータ２１の分解能が低下したりするような影響が生じない。それにより、ノイズに強いパワー制御が可能となる。
【００９１】
以上のように、第２実施形態の無線装置１Ａによれば、第１実施形態の作用効果に加えて、ＡＧＣアンプ１５のオートパワー制御をハードウェアにより実現しているので、送信パワーに変化を与える何らかの回路変動が生じても、送信パワーを速やかに安定させることができるという効果がある。
【００９２】
なお、本発明は、上記実施の形態に限られるものではなく、様々な変更が可能である。  例えば、上記実施形態では、特定の通信規格に準拠した無線装置を例示したが、ＴＤＭＡ方式で無線信号を送信するものであればどのような通信規格のものも含まれる。また、ファイナルアンプ（第１アンプ）の出力パワーのレベルも、上記実施形態で示した値は一例に過ぎない。
【００９３】
また、上記実施形態では、ガードタイムＧｓ，Ｇｅの直前直後の期間に、ファイナルアンプ（第１アンプ）のゲインを上昇、下降させるゲイン制御方法を示したが、例えば、図４や図５に示したように、ガードタイムの始端や終端の一部期間にＡＧＣアンプ（第２アンプ）のゲインが非送信時のレベルまで低下している期間（例えば図４の“０〜４００μ秒”や、図５の“６００〜１０００μ秒”）がある場合には、この期間を含めた期間にファイナルアンプのゲインを上昇、下降させるようにしても良い。
【００９４】
その他、送信信号の変調方式や具体的な回路構成など、実施の形態に示した細部は、発明の趣旨を逸脱しない範囲で適宜変更可能である。
【図面の簡単な説明】
【００９５】
【図１】本発明の第１実施形態の無線装置の送信処理に関わる構成を示したブロック図である。
【図２】第１実施形態の無線装置の送信動作を説明するタイムチャートである。
【図３】二種類の送信パワー設定時におけるファイナルアンプの出力パワーと消費電流の特性を示すグラフである。
【図４】二種類の送信パワー設定時における送信パワーの立ち上り波形とランプ規格とを示す波形図である。
【図５】二種類の送信パワー設定時における送信パワーの立ち下り波形とランプ規格とを示す波形図である。
【図６】本発明の第２実施形態の無線装置の送信処理に関わる構成を示したブロック図である。
【図７】図６のＡＰＣ部とパワー検出部の詳細を示した回路ブロック図である。
【図８】大出力のファイナルアンプにおける出力パワーと消費電流の特性を示すグラフである。
【図９】大出力のファイナルアンプをゲイン固定とし、前段のアンプでパワー制御を行った場合の出力パワーと消費電流の特性を示すグラフである。
【図１０】大出力のファイナルアンプのゲイン制御のみで所定のタイムスロットで無線送信を行う場合の動作を説明するタイムチャートである。
【図１１】ＡＧＣアンプのゲイン制御のみで送信パワーの切り換えとランプ制御を行った場合の送信パワーの立ち上がり波形を示す波形図である。
【図１２】ＡＧＣアンプのゲイン制御のみで送信パワーの切り換えとランプ制御を行った場合の送信パワーの立ち下り波形を示す波形図である。
【符号の説明】
【００９６】
１，１Ａ    無線装置
１１        ＴＣＸＯ
１２        ＰＬＬ回路
１３        ＶＣＯ
１４        変調回路
１５        ＡＧＣアンプ（第２アンプ）
１７        ファイナルアンプ（第１アンプ）
２０        ＣＰＵ（制御手段）
２１        Ｄ／Ａコンバータ
２２        Ａ／Ｄコンバータ
２３，２３ａ  パワー検出部
２４        不揮発性メモリ
２８        ＡＰＣ部
２３１      アッテネータ
２３２      パワー検出回路
ＯＰ１      オペアンプ
ＡＮ        アンテナ
【図１】
2010093710.tif 000003
【図２】
2010093710.tif 000004
【図３】
2010093710.tif 000005
【図４】
2010093710.tif 000006
【図５】
2010093710.tif 000007
【図６】
2010093710.tif 000008
【図７】
2010093710.tif 000009
【図８】
2010093710.tif 000010
【図９】
2010093710.tif 000011
【図１０】
2010093710.tif 000012
【図１１】
2010093710.tif 000013
【図１２】
2010093710.tif 000014